(57)【要約】【課題】人気商品、期間限定商品、在庫切れ間近の商品などの販売を、商品購入動向などをリアルタイムに反映した形態で行うことにより、ユーザーの購買意欲を促進できるようにした商品販売方法を提案すること。【解決手段】インターネットを利用した商品販売システム１では、インターネット上の商品ページに掲載した販売対象の商品の価格を商品掲載時間に応じて変動させる。また、来訪者数、販売数、在庫数に応じて変動率を変更している。価格変動状態は、商品ページに商品価格変動欄を設け、現在の値引き率を表示し、直近の価格変動を矢印の方向で表し、変動履歴を価格変動グラフで表示できるようになっている。【選択図】図３
2009042797.tif 000002
【特許請求の範囲】
【請求項１】
インターネットサイトに、販売対象の商品について販売価格を含む情報を掲載し、
この商品の掲載時間をカウントし、
掲載時間に応じて、掲載されている販売価格を所定時間毎に変動させることを特徴とするインターネットを利用した商品販売方法。
【請求項２】
商品掲載後の商品の閲覧回数をカウントし、
掲載時間および閲覧回数に応じて、掲載されている販売価格を、所定時間毎に、または閲覧回数が１回あるいは複数回増加する毎に、変動させることを特徴とする請求項１に記載のインターネットを利用した商品販売方法。
【請求項３】
商品掲載後の商品の販売数をカウントし、
掲載時間および販売数に応じて、掲載されている販売価格を、所定時間毎に、または販売数が１個あるいは複数個増加する毎に、変動させることを特徴とする請求項１に記載のインターネットを利用した商品販売方法。
【請求項４】
商品掲載後の商品の在庫数を管理し、
掲載時間および在庫数に応じて、掲載されている販売価格を、所定時間毎に、または在庫数が１個または複数個減少する毎に、変動させることを特徴とする請求項１に記載のインターネットを利用した商品販売方法。
【請求項５】
掲載されている販売価格の直近の変動方向を、図形、色などの視覚により認識可能な形態で表示することを特徴とする請求項１ないし４のうちのいずれかの項に記載のインターネットを利用した商品販売方法。
【請求項６】
掲載されている販売価格の変動履歴を、常時あるいは要求に応じて表示することを特徴とする請求項１ないし５のうちのいずれかの項に記載のインターネットを利用した商品販売方法。
【請求項７】
掲載商品の商品ページ画面に、商品説明欄、商品価格および注文欄および価格変動表示欄を設け、
商品価格変動表示欄には、商品価格動向を表示するための標識、商品掲載時の金額に対する現在の金額の値引きあるいは値上げ率が表示されることを特徴とする請求項１ないし６のうちのいずれかの項に記載のインターネットを利用した商品販売方法。
【請求項８】
商品ページ画面に商品掲載時から今までの価格変動グラフを表示し、あるいは、商品ページに価格変動グラフを表示するためのグラフページをリンクさせておくことを特徴とする請求項７に記載のインターネットを利用した商品販売方法。
【請求項９】
インターネットサイトに、販売対象の商品について販売価格を含む情報を掲載する機能と、
この商品の掲載時間をカウントする機能と、
掲載時間に応じて、掲載されている販売価格を所定時間毎に変動させる機能を、
コンピュータに実行させるためのインターネットを利用した商品販売用プログラム。
【請求項１０】
商品掲載後の商品の閲覧回数をカウントする機能と、
掲載時間および閲覧回数に応じて、掲載されている販売価格を、所定時間毎に、または閲覧回数が１回あるいは複数回増加する毎に、変動させる機能とを、
コンピュータに実行させることを特徴とする請求項９に記載のインターネットを利用した商品販売用プログラム。
【請求項１１】
商品掲載後の商品の販売数をカウントする機能と、
掲載時間および販売数に応じて、掲載されている販売価格を、所定時間毎に、または販売数が１個あるいは複数個増加する毎に、変動させる機能とを、
コンピュータに実行させることを特徴とする請求項９に記載のインターネットを利用した商品販売用プログラム。
【請求項１２】
商品掲載後の商品の在庫数を管理する機能と、
掲載時間および在庫数に応じて、掲載されている販売価格を、所定時間毎に、または在庫数が１個または複数個減少する毎に、変動させる機能とを、
コンピュータに実行させることを特徴とする請求項９に記載のインターネットを利用した商品販売用プログラム。
【請求項１３】
掲載されている販売価格の直近の変動方向を、図形、色などの視覚により認識可能な形態で表示する機能をコンピュータに実行させることを特徴とする請求項９ないし１２のうちのいずれかの項に記載のインターネットを利用した商品販売用プログラム。
【請求項１４】
掲載されている販売価格の変動履歴を、常時あるいは要求に応じて表示する機能をコンピュータに実行させることを特徴とする請求項９ないし１３のうちのいずれかの項に記載のインターネットを利用した商品販売用プログラム。
【請求項１５】
掲載商品の商品ページ画面に、商品説明欄、商品価格および注文欄および価格変動表示欄を表示する機能と、商品価格変動表示欄に商品価格動向を表示するための標識、および、商品掲載時の金額に対する現在の金額の値引きあるいは値上げ率を表示する機能をコンピュータに実行させることを特徴とする請求項９ないし１４のうちのいずれかの項に記載のインターネットを利用した商品販売用プログラム。
【請求項１６】
商品ページ画面に商品掲載時から今までの価格変動グラフを表示させる機能、あるいは、商品ページに価格変動グラフを表示するためのグラフページをリンクさせておく機能をコンピュータに実行させることを特徴とする請求項１５に記載のインターネットを利用した商品販売用プログラム。
【発明の詳細な説明】
【技術分野】
【０００１】
本発明は、インターネットを利用して各種の商品情報を掲載して商品の販売を行う商品販売方法およびプログラムに関するものである。
【背景技術】
【０００２】
近年においてはインターネットを利用した通信販売が普及しており、ユーザーは実際に店頭に出向くことなく、コンピュータ端末の画面上において好みの商品を注文あるいは購入することができ、便利である。インターネットを利用した商品販売においては、商品ページに、販売対象の商品の画像情報、販売価格、商品説明文などが掲載される。また、在庫数量が掲載されることもある。
【０００３】
このようなインターネット上の商品販売形態では、店頭に出向く場合とは異なり店員による勧誘、値引きなどの動的な要素がなく、商品購入意欲を掻き立てることが困難である。特に、近年においてはインターネット上において同一あるいは類似商品を販売する商品ページが多数存在しており、販売促進のためにユーザーの注意を引くことが極めて重要な要素となっている。
【発明の開示】
【発明が解決しようとする課題】
【０００４】
本発明の課題は、このような点に鑑みて、人気商品、期間限定商品、在庫切れ間近の商品などの販売を、商品購入動向などをリアルタイムに反映した形態で行うことにより、ユーザーの購買意欲を促進できるようにした商品販売方法およびプログラムを提案することにある。
【課題を解決するための手段】
【０００５】
上記の課題を解決するために、本発明のインターネットを利用した商品販売方法は、インターネットサイトに、販売対象の商品について販売価格を含む情報を掲載し、この商品の掲載時間をカウントし、掲載時間に応じて、掲載されている販売価格を所定時間毎に変動させることを特徴としている。
【０００６】
ここで、商品掲載後の商品の閲覧回数をカウントし、掲載時間および閲覧回数に応じて、掲載されている販売価格を、所定時間毎に、または閲覧回数が１回あるいは複数回増加する毎に、変動させることもできる。
【０００７】
また、商品掲載後の商品の販売数をカウントし、掲載時間および販売数に応じて、掲載されている販売価格を、所定時間毎に、または販売数が１個あるいは複数個増加する毎に、変動させることもできる。
【０００８】
さらに、商品掲載後の商品の在庫数を管理し、掲載時間および在庫数に応じて、掲載されている販売価格を、所定時間毎に、または在庫数が１個または複数個減少する毎に、変動させることもできる。
【０００９】
次に、掲載されている販売価格の直近の変動方向を、図形、色などの視覚により認識可能な形態で表示すれば、価格が割安になっているか否かなどをユーザーが判断することができるので便利である。
【００１０】
また、掲載されている販売価格の変動履歴を、常時あるいは要求に応じて表示できるようにすることもできる。
【００１１】
本発明において、掲載商品の商品ページ画面に、商品説明欄、商品価格および注文欄および価格変動表示欄を設け、商品価格変動表示欄には、商品価格動向を表示するための標識、商品掲載時の金額に対する現在の金額の値引きあるいは値上げ率を表示することができる。
【００１２】
また、商品ページ画面に商品掲載時から今までの価格変動グラフを表示し、あるいは、商品ページに価格変動グラフを表示するためのグラフページをリンクさせておくことができる。
【００１３】
一方、本発明はインターネットを利用した商品販売用プログラムであって、インターネットサイトに、販売対象の商品について販売価格を含む情報を掲載する機能と、この商品の掲載時間をカウントする機能と、掲載時間に応じて、掲載されている販売価格を所定時間毎に変動させる機能とをコンピュータに実行させるためのものであることを特徴としている。
【００１４】
ここで、商品掲載後の商品の閲覧回数をカウントする機能と、掲載時間および閲覧回数に応じて、掲載されている販売価格を、所定時間毎に、または閲覧回数が１回あるいは複数回増加する毎に、変動させる機能とを備えていても良い。
【００１５】
また、商品掲載後の商品の販売数をカウントする機能と、掲載時間および販売数に応じて、掲載されている販売価格を、所定時間毎に、または販売数が１個あるいは複数個増加する毎に、変動させる機能とを備えていても良い。
【００１６】
さらに、商品掲載後の商品の在庫数を管理する機能と、掲載時間および在庫数に応じて、掲載されている販売価格を、所定時間毎に、または在庫数が１個または複数個減少する毎に、変動させる機能とを備えていても良い。
【００１７】
次に、掲載されている販売価格の直近の変動方向を、図形、色などの視覚により認識可能な形態で表示する機能を備えていても良い。
【００１８】
また、掲載されている販売価格の変動履歴を、常時あるいは要求に応じて表示する機能を備えていても良い。
【００１９】
なお、掲載商品の商品ページ画面に、商品説明欄、商品価格および注文欄および価格変動表示欄を表示する機能と、商品価格変動表示欄に商品価格動向を表示するための標識、および、商品掲載時の金額に対する現在の金額の値引きあるいは値上げ率を表示する機能を備えていても良い。
【００２０】
さらに、商品ページ画面に商品掲載時から今までの価格変動グラフを表示させる機能、あるいは、商品ページに価格変動グラフを表示するためのグラフページをリンクさせておく機能を備えていても良い。
【発明の効果】
【００２１】
インターネットサイトの商品ページに掲載されている商品価格は掲載時間、閲覧回数、販売数、在庫数に応じて変動する。従来のように価格が変動しない場合あるいは販売者によって１回程度値引きが行われる場合とは異なり、リアルタイムで販売価格が動的に変動する。
【００２２】
したがって、ユーザーは例えば閉店間近の店頭において価格が徐々に安くなっていく場合と同様な臨場感で商品価格の推移を確認し、商品を購入するのか、あるいは購入することを断念するのかを決めることができる。また、リアルタイムで更新される価格の変動動向、価格の変動履歴を閲覧することにより、商品の人気度などをリアルタイムで感じることができるので便利である。
【００２３】
一方、商品販売者にとっては、リアルタイムで商品価格が変動することにより、ユーザーの注目を集めることができ、商品の販売促進を期待できる。
【発明を実施するための最良の形態】
【００２４】
以下に、図面を参照して、本発明を適用したインターネットを利用した商品販売システムの例を説明する。
【００２５】
図１は本例の商品販売システムの全体構成を示す説明図である。商品販売システム１は、商品販売者の側のインターネットサーバ２と、多数のユーザー端末３と、これらを繋ぐインターネット４から構成される。
【００２６】
図２(ａ)にはインターネットサーバ２によって運営されるインターネットサイト上の商品ページ画面の一例を示してある。商品ページ５には多数の商品欄６が用意されている。各商品欄６には、商品画像欄７、商品説明欄８、商品価格および注文欄９および価格変動表示欄１０が用意されている。商品価格および注文欄９には現在の商品価格の表示欄１１と、購入個数の入力欄１２と、オーダーボタン１３が用意されている。
【００２７】
図２(ｂ)および(ｃ)には、商品価格変動表示欄１０および商品価格および注文欄９を拡大して示してある。商品価格変動表示欄１０には、商品価格動向を表示するための矢印１５、商品掲載時の金額に対する現在の金額の値引き或いは値上げ率１６が表示されている。また、表示欄「今までの価格を見る」１７が配置されており、当該部分をクリックすると今までの価格変動グラフが表示されたグラフページに移行できるようになっている。
【００２８】
矢印１５としては、例えば、図２(ｄ)に示すように、下向きの矢印１５ａ、上向きの矢印１５ｂおよび横向きの矢印１５ｃが用意されている。下向きの矢印１５ａは直近の商品価格変動が値下げであることを表すものであり、上向きの矢印１５ｂはそれが値上げであることを表すものであり、横向きの矢印１５ｃはそれが変わらないことを表すものである。これらの矢印は色を変えることにより、より視覚的に表示するようにしてもよい。
【００２９】
図３には、表示欄「今までの価格を見る」１７をクリックした場合の表示画面の例を示してある。この図に示すように、このグラフページ５Ａでは、商品掲載時点からの価格変動が折れ線グラフ１８の形態で表示される。
【００３０】
ここで、本例の商品販売システム１では、掲載されている商品の価格を、商品掲載時間、商品ページへの来訪者数、商品販売数および商品在庫数によって変動させるようにしている。かかる商品変動を実現させるために、インターネットサーバ２は、図１に示すように、商品掲載時間をカウントするための掲載時間カウント機能２１と、来訪者数カウント機能２２と、商品販売数カウント機能２３と、商品在庫数管理機能２４と、商品掲載時点からの価格変動履歴を記憶保持するメモリ機能２５を備えている。なお、インターネット通信機能、作表機能などの一般的な機能が備わっていることは勿論である。
【００３１】
本例の商品販売システム１における掲載商品の価格変動処理動作の一例を説明する。例えば、商品掲載時からの経過時間(商品掲載時間)に基づき商品値引率を予め定めておく。例えば、商品掲載期間が１０日間であるとすると、１日経過する毎にｘ％の値引き率としておく。来訪者数が予め定めた数以下の場合には、商品掲載期間の経過に伴う値引率ｘ％に係数ｋ１(＞１)を掛けて値引きを多くし、来訪者数が予め定めた数を超える場合には値引き率ｘ％をそのまま(ｋ１＝１)とする。同様に、商品販売数が予め定めた数以下の場合には、値引き率ｘ％に係数ｋ２(＞１)を掛けて値引きを多くし、商品販売数が予め定めた数を超えた場合には値引き率ｘ％をそのまま(ｋ２＝１)とする。さらに、在庫数が予め定めた数を割った場合には、値引き率ｘ％に係数ｋ３(＞１)を掛けて値引きを多くし、在庫数が多い場合には、値引き率ｘ％をそのまま(ｋ＝３)とする。この場合における１日毎の価格変動Ｐは、商品掲載時の価格をＰｏとすると、次式によって規定される。
Ｐ＝Ｐｏ×(ｘ／１００)×ｋ１×ｋ２×ｋ３
【００３２】
勿論、これは一例であり、係数ｋ１、ｋ２、ｋ３を各数量の増減に対して一次線形関係、二次線形関係、不連続な関係、あるいは、乱数発生器などを用いた不定の関係としておくこともできる。また、価格の更新を、１日単位ではなく、時間単位、分単位で行うこともでき、最初は１日単位で価格を更新し、次に、時間単位で更新し、商品掲載期間の最後においては分単位で更新するようにしてもよい。
【００３３】
以上説明したように、本例の商品販売システム１によれば、インターネット上に掲載されている商品の価格が、掲載期間に応じて変動していく。また、商品ページの来訪者数、販売数および在庫数に応じて変動していく。したがって、ユーザーは価格変動から商品の人気度などをリアルタイムで知ることができる。また、掲載期間終了間際においては、短い時間間隔で価格を変動させることにより、在庫処分時、閉店間際の店頭での商品購入時の臨場感で商品を購入できる。よって、商品販売者にとって、商品の販売促進のために極めて有効な販売形態を実現でき、商品購入者にとっては商品の人気度などを確認して有利な条件で商品を購入できるという利点がある。
【図面の簡単な説明】
【００３４】
【図１】本発明を適用したインターネットを利用した商品販売システムの全体構成図である。
【図２】(ａ)は画面に表示された商品ページの一例を示す説明図であり、(ｂ)は商品価格変動表示欄を拡大して示す説明図であり、(ｃ)は商品価格および注文欄を拡大して示す説明図であり、(ｄ)は矢印の種類を示す説明図である。
【図３】価格変動グラフが表示された商品ページを示す説明図である。
【符号の説明】
【００３５】
１    商品販売システム
２    インターネットサーバ
３    ユーザー端末
４    インターネット
５    商品ページ
５Ａ  グラフページ
６    商品欄
７    商品画像欄
８    商品説明欄
９    注文欄
１０  商品価格変動表示欄
１１  表示欄
１２  入力欄
１３  オーダーボタン
１５  矢印
１６  値引き或いは値上げ率
１７  表示欄
１８  折れ線グラフ
２１  掲載時間カウント機能
２２  来訪者カウント機能
２３  商品販売数カウント機能
２４  商品在庫数管理機能
２５  メモリ機能
【図１】
2009042797.tif 000003
【図２】
2009042797.tif 000004
【図３】
2009042797.tif 000005